(57)【特許請求の範囲】
【請求項１】
第１の電子回路と、
第２の電子回路と、
第１の絶縁基板の片方の主面においてこの先端部に複数の固定接続部が所定の間隔を置いて配列され、前記第１の電子回路に配置された第１のコネクタ部と、
この第１のコネクタ部が前記固定接続部を当接させるようにして相対的に挿入される第２のコネクタ部であって、第２の絶縁基板と、この第２の絶縁基板に前記固定接続部に対応して貫通形成されたスリットから外部に対し出没可能に固定されて個々の前記固定接続部に対して当接可能な台形状の複数の昇降接続部と、これら昇降接続部を支持し当該昇降接続部が前記第２の絶縁基板から突出しないよう付勢されるとともに、前記第１のコネクタ部の前記第２のコネクタ部への挿入を受けて前記昇降接続部を前記第２の絶縁基板から突出させて、前記固定接続部に前記昇降接続部の頂部を接触させる昇降部とを有し、前記第２の電子回路に配置された第２のコネクタ部と、
を具備し、
前記第２のコネクタ部の前記昇降部は、中程にて複数の前記昇降接続部を横切る方向の支持点で支持し、当該支持点から一方の側に前記昇降接続部を支持し、前記第２の絶縁基板に設けた貫通孔から突出して前記第１のコネクタ部の挿入を受ける検出部を前記支持点から他方の側に支持し、前記第１のコネクタ部の挿入による当接によって前記検出部を前記第２の絶縁基板内に変位させるとともに、付勢力に抗して前記昇降接続部を前記第２の絶縁基板から突出させるものであり、
複数の前記昇降接続部のうちの１個は、前記第１のコネクタ部の挿入方向において、他の前記昇降接続部より奥に配置された特定接続部であり、
前記第１又は第２の電子回路は、前記特定接続部が前記第１のコネクタ部の該当する前記固定接続部に接続されたとき、他の前記昇降接続部における動作開始を制御し、前記固定接続部の接続が解除されたとき、他の前記昇降接続部における動作停止を制御することを特徴とする電子機器。
【請求項２】
前記特定接続部は、他の前記昇降接続部より短く形成されてなる請求項１記載の電子機器。
【請求項３】
前記特定接続部は低電位又はアース電位に接続され、前記特定接続部に対応する前記固定接続部はアース電位又は低電位に接続されてなる請求項１又は２記載の電子機器。
【発明の詳細な説明】
【技術分野】
【０００１】
本発明は電子機器に係り、画像形成装置等の電子機器の改良に関する。
【背景技術】
【０００２】
電子機器、例えばプリンタ、複写機、ファクシミリ機、これらの機能を有する複合機（ＭＦＰ：Multi Function Peripheral）等の画像形成装置は、原稿上の画像情報から画像データを光学的に読み取り、その画像データに基づきトナー像を形成して用紙に転写定着させ、トナー像の転写された用紙を加熱定着部を通過させる過程で、そのトナー像を用紙に加熱定着させて印刷（印字）する印刷機能、その他の処理機能を有している。
【０００３】
しかも、画像形成装置は、メンテナンスや交換を容易にするために、画像形成装置本体に対して加熱定着部をユニット化して脱着可能にする場合が多いし、機能拡張のため、原稿自動搬送装置やペーパフィーダ等のオプション装置を装着したり、印刷した用紙に対しパンチ処理、ステープル処理、製本処理等の後処理を行う後処理装置を画像形成装置本体に連結する構成が提供されている。
【０００４】
そして、画像形成装置本体に対して加熱定着部、原稿自動搬送装置、ペーパフィーダおよび後処理装置は、コネクタ装置を介して接続され、これによってデータ信号の送受信や電源電力の供給を行っており、電源がオン状態の画像形成装置本体に対して加熱定着部、原稿自動搬送装置、ペーパフィーダおよび後処理装置のコネクタを挿抜するいわゆる活線挿抜を行った場合、それらオプション装置側の回路や素子等の不具合を発生させない工夫が必要である。
【０００５】
そこで、例えば特開２００９−１１５８９８号公報（特許文献１）の電子機器が提案されている。
【０００６】
この特許文献１は、電源装置からオプション装置へ電力供給を行うコネクタの両端に電源線およびグランド線を配置し、さらに本体制御部に向けて通信許可信号を送信し、本体制御部が通信許可信号を受信するまでオプション制御部との信号の送受信を行わないことによって活線挿抜による電子部品の破壊を阻止しようとするものである。
【先行技術文献】
【特許文献】
【０００７】
【特許文献１】特開２００９−１１５８９８号公報
【発明の概要】
【発明が解決しようとする課題】
【０００８】
しかしながら、上述した特許文献１は、オプション装置等の機器内の電子回路保護に配慮したものであり、サービスマンやユーザ等のコネクタ端子への接触、埃の付着や、金属片落下等によるコネクタ端子どうしの短絡等への配慮がなされていない。
【０００９】
画像形成装置本体に対して加熱定着部、原稿自動搬送装置、ペーパフィーダおよび後処理装置を接続するコネクタ装置において、活線挿抜確保する場合、コネクタを外した状態においてユーザ等のコネクタ端子への接触、埃の付着や、金属片落下等による短絡等の防止が求められている。
【００１０】
本発明はそのような課題を解決するためになされたもので、活線挿抜を確保する状況の下でも、ユーザに対する安全性を高め、コネクタでの不具合発生を抑えることが容易な電子機器の提供を目的とする。
【課題を解決するための手段】
【００１１】
そのような課題を解決するために本発明の請求項１に係る電子機器は、第１の電子回路と、第２の電子回路と、第１の絶縁基板の片方の主面においてこの先端部に複数の固定接続部が所定の間隔を置いて配列され、その第１の電子回路に配置された第１のコネクタ部と、この第１のコネクタ部が固定接続部を当接させるようにして相対的に挿入される第２のコネクタ部であって、第２の絶縁基板と、この第２の絶縁基板に固定接続部に対応して貫通形成されたスリットから外部に対し出没可能に固定されて個々の固定接続部に対して当接可能な台形状の複数の昇降接続部と、これら昇降接続部を支持し当該昇降接続部が第２の絶縁基板から突出しないよう付勢されるとともに、その第１のコネクタ部の第２のコネクタ部への挿入を受けて昇降接続部を第２の絶縁基板から突出させて固定接続部にその昇降接続部の頂部を接触させる昇降部とを有し、その第２の電子回路に配置された第２のコネクタ部とを具備している。
【００１２】
しかも、上記第２のコネクタ部の昇降部は、中程にて複数のそれら昇降接続部を横切る方向の支持点で支持し、当該支持点から一方の側に昇降接続部を支持し、その第２の絶縁基板に設けた貫通孔から突出して第１のコネクタ部の挿入を受ける検出部をその支持点から他方の側に支持し、その第１のコネクタ部の挿入による当接によって検出部をその第２の絶縁基板内に変位させるとともに、付勢力に抗して昇降接続部をその第２の絶縁基板から突出させるものである。
【００１３】
さらに、複数の上記昇降接続部のうちの１個は、その第１のコネクタ部の挿入方向において、他の昇降接続部より奥に配置された特定接続部であり、上記第１又は第２の電子回路は、その特定接続部が第１のコネクタ部の該当する固定接続部に接続されたとき、他の昇降接続部における動作開始を制御し、その固定接続部の接続が解除されたとき、他の昇降接続部における動作停止を制御するものである。
【００１４】
本発明の請求項２に係る電子機器は、上記特定接続部が、他の昇降接続部より短く形成された構成である。
【００１５】
【００１６】
本発明の請求項３に係る電子機器は、上記特定接続部が低電位又はアース電位に接続され、その特定接続部に対応する固定接続部がアース電位又は低電位に接続されてなる構成である。
【００１７】
【発明の効果】
【００１８】
このような本発明の請求項１に係る電子機器では、第２のコネクタ部に第１のコネクタ部が挿入されると、第２のコネクタ部の昇降部が第１のコネクタ部の挿入を受けて昇降接続部を第２の絶縁基板から突出させ、まず、特定接続部を除いた昇降接続部が固定接続部に接触された後、特定接続部が固定接続部に接触される一方、第２のコネクタ部から第１のコネクタ部が抜かれるとき、特定接続部と固定接続部との接触が解除された後、特定接続部を除いた昇降接続部と固定接続部との接触が解除されるから、活線挿抜を確保したうえで、ユーザに対する安全性を高め、コネクタでの不具合発生を抑えることが容易である。
【００１９】
本発明の請求項１に係る電子機器では、上記第２のコネクタ部の昇降部が、中程にて複数の昇降接続部を横切る方向の支持点で支持され、当該支持点から一方の側に昇降接続部を支持し、その第２の絶縁基板に設けた貫通孔から突出して第１のコネクタ部の挿入を受ける検出部を支持点の他方の側に支持してなるから、簡単な機構的構成により上述した効果を得ることが容易であるし、上記特定接続部が、他の昇降接続部における動作制御用として機能可能であるから、活線挿抜構成において有用である。
【００２０】
本発明の請求項２に係る電子機器では、上記特定接続部が他の昇降接続部より短く形成されるから、特定接続部を他の昇降接続部より奥に配置しても形状を大型化させることがない。
【００２１】
【００２２】
本発明の請求項３に係る電子機器は、上記特定接続部が低電位又はアース電位に接続され、その特定接続部に対応する固定接続部がアース電位又は低電位に接続されてなるから、その特定接続部における保護の必要性が少なく、消費電力の増加を抑えることが容易である。
【図面の簡単な説明】
【００２３】
【図１】本発明に係る電子機器の実施の形態を示す概略構成図である。
【図２】本発明に係る電子機器の第１のコネクタ部を示す斜視図（図２Ａ）および側面図（図２Ｂ）である。
【図３】本発明に係る電子機器の主に第２のコネクタ部を説明する要部斜視図（図３Ａ）および分解斜視図（図３Ｂ）である。
【図４】本発明に係る電子機器を挿入側から見た状態を示す図である。
【図５】本発明に係る電子機器の使用例を説明するブロック回路図である。
【図６】本発明に係る電子機器の使用例を説明するブロック回路図である。
【発明を実施するための最良の形態】
【００２４】
以下、本発明に係る電子機器の実施の形態を、これを構成するコネクタ装置とともに図面を参照して説明する。
【００２５】
図１は本発明に係るコネクタ装置の実施の形態を示す概略構成図である。
【００２６】
図１において、本発明に係るコネクタ装置は、第１の絶縁基板１に複数の固定接続部３ａ、３ｂ、３ｃ、３ｄを形成した第１のコネクタ部Ａと、この第１のコネクタ部Ａが相対的に挿入される第２のコネクタ部Ｂであって、第２の絶縁基板５に固定接続部３ａ〜３ｄと電気的に接続される複数の昇降接続部７ａ、７ｂ、７ｃ、７ｄを支持するとともに検出部９を配置した昇降部としての支持板１１を有する第２のコネクタ部Ｂとから構成されている。
【００２７】
第１のコネクタ部Ａは、例えば図２に示すように、長方形の薄い第１の絶縁基板１と、この片方の主面（図中下面）において一方の先端部に互いに僅かの間隔を置いて平行に配列された細長い複数の固定接続部３ａ〜３ｄとを有している。
【００２８】
固定接続部３ａ〜３ｄは、第１の絶縁基板１上に金属鍍金等の従来公知の手法で形成された接点である。
【００２９】
第２のコネクタ部Ｂは、例えば図３Ａに示すように、第１の絶縁基板１が当接される長方形の第２の絶縁基板５において、長辺方向の片半分領域（図中左側領域）に個々の固定接続部３に対応して貫通形成された複数のスリット１３ａ、１３ｂ、１３ｃ、１３ｄを有し、このスリット１３ａ〜１３ｄが第２の絶縁基板５の長辺方向に延びている。
【００３０】
なお、スリット１３ｄは、他のスリット１３ａ〜１３ｃに一方の端部側（図中左端部側）を揃えるとともに、これより短く形成されている。
【００３１】
第２の絶縁基板５の他方の片半分領域（図中左側領域）には、細長い貫通孔１５が第２の絶縁基板５の短辺方向、すなわちスリット１３ａ〜１３ｄを横切る方向に貫通形成されている。
【００３２】
第２の絶縁基板５の下部には、図３Ｂに示すような支持板１１が配置されている。
【００３３】
支持板１１は、細長い絶縁板を長辺方向から見てクランク状に屈曲形成されてなり、例えば第２の絶縁基板５の下部から突設された図示しない一対の係合壁間にその屈曲部１１ａ両側部を挟ませるようにして支持され、その屈曲部１１ａを支持点Ｐにして長辺方向の左右の平坦部１１ｂ、１１ｃが上下に変位可能になっている。
【００３４】
なお、支持板１１の屈曲部１１ａは、第２の絶縁基板５の下部においてスリット１３ａ〜１３ｄと貫通孔１５間に相当する部分に位置している。
【００３５】
支持板１１において、屈曲部１１ａから一方の平坦部１１ｂには複数の昇降接続部７ａ〜７ｄが支持されており、他方の平坦部１１ｃには検出部９が一部を連結するようにして載置されている。
【００３６】
昇降接続部７ａ〜７ｄは、ばね特性を有する導電線を台形状に屈曲形成されて平坦部１１ｂにスリット１３ａ〜１３ｄと揃う位置に固定されたばね接点であり、図示はしないが一部が外部に導出されている。
【００３７】
図３Ｂにおいて、波線で示す昇降接続部７ａ〜７ｄは、スリット１３ａ〜１３ｄから突出した状態を仮想的に示すものである。
【００３８】
スリット１３ａ〜１３ｃに対応する昇降接続部７ａ〜７ｃは、同長に形成されるとともにスリット１３ａ〜１３ｃと同位置に固定されている。スリット１３ｄに位置する昇降接続部７ｄは、他の昇降接続部７ａ〜７ｃより短く形成されるとともに、図中左端部側に寄せて形成されている。
【００３９】
すなわち、昇降接続部７ｄは屈曲部１１ａ側、換言すれば第１のコネクタ部Ａの挿入側から見て、他の昇降接続部７ａ〜７ｃより奥に配置されている。
【００４０】
検出部９は貫通孔１５より僅かに小さいブロック形状を有し、平坦部１１ｂとは反対側に斜面９ａを有している。
【００４１】
支持板１１は、図示しない付勢部材によって一方の平坦部１１ｂ側が降下するように付勢されており、静止状態では、昇降接続部７ａ〜７ｄがスリット１３ａ〜１３ｄから突出せずに埋没する位置にあり、検出部９が貫通孔１５から突出するようになっている。
【００４２】
そして、検出部９を押下することにより、検出部９が貫通孔１５に埋没して支持板１１が支持点Ｐを中心にして回転変位し、昇降接続部７ａ〜７ｄがスリット１３ａ〜１３ｄから突出するようになっており、検出部９への押下を除去すれば、付勢力によって昇降接続部７ａ〜７ｄがスリット１３ａ〜１３ｄ内に埋没する一方、検出部９が貫通孔１５から突出する。
【００４３】
図４は、第２のコネクタ部Ｂを第１のコネクタ部Ａが挿入される側から見た状態を示すものであり、第２のコネクタ部Ｂの第２の絶縁基板５における両長辺には、挿入される第１のコネクタ部Ａを第２のコネクタ部Ｂ上で保持するガイド部（図４以外は図示省略）１７ａ、１７ｂが形成されている。
【００４４】
次に、上述したコネクタ装置の使用例を簡単に説明する。
【００４５】
図１Ａに示すように、第２のコネクタ部Ｂにおいて検出部９が貫通孔１５から突出し、昇降接続部７ａ〜７ｄがスリット１３ａ〜１３ｄ内に埋没する状態で、固定接続部３ａ〜３ｄ側を先にして第１のコネクタ部Ａをガイド部１７ａ、１７ｂに挿入し、第１の絶縁基板１を第２の絶縁基板５に当接させながら押し込むと、同図Ｂに示すように、第１の絶縁基板１が検出部９を押下する。すなわち、検出部９が第１の絶縁基板１の挿入の有無を検出する。
【００４６】
これによって検出部９が付勢力に抗して貫通孔１５内に埋没されて支持板１１の平坦部１１ｃを押し下げ、支持板１１が支持点Ｐを中心にして回転変位し、昇降接続部７ａ〜７ｄがスリット１３ａ〜１３ｄから突出する。
【００４７】
第１の絶縁基板１を押し込み続けると、まず、第１の絶縁基板１の固定接続部３ａ〜３ｃが昇降接続部７ａ〜７ｃに弾性的に接触した状態でスライドし、その後、固定接続部３ｄが昇降接続部７ｄに弾性的に接触し、全ての固定接続部３ａ〜３ｄが全ての昇降接続部７ａ〜７ｄに接触する。
【００４８】
逆に、第２のコネクタ部Ｂから第１のコネクタ部Ａを抜く場合、まず、昇降接続部７ｄから固定接続部３ｄが離れて接触状態が解除された後、昇降接続部７ａ〜７ｃから固定接続部３ａ〜３ｃが離れて接触状態が解除される。
【００４９】
すなわち、第２のコネクタ部Ｂに第１のコネクタ部Ａを挿入する場合、固定接続部３ａ〜３ｃと昇降接続部７ａ〜７ｃとが接触した後、固定接続部３ｄが昇降接続部７ｄに接触し、第２のコネクタ部Ｂから第１のコネクタ部Ａを抜く場合、固定接続部３ｄと昇降接続部７ｄとの接触状態が解除された後、固定接続部３ａ〜３ｃと昇降接続部７ａ〜７ｃとの接触状態が解除される。
【００５０】
上述した本発明のコネクタ装置は、例えば図５に示すように、制御機能を有する第１の電子回路１９から上述した第１のコネクタ部Ａを延ばし、別の制御機能を有する第２の電子回路２１から第２のコネクタ部Ｂを延ばし、第１のコネクタ部Ａと第２のコネクタ部Ｂを接続することにより、第１および第２の電子回路１９、２１を動作させる電子機器Ｃを構成可能である。
【００５１】
図５中において、例えば符号Ｌ１はアースライン、符号Ｌ２はデータ信号を伝送させるデータライン、Ｌ３は電源を供給する電源ライン、Ｌ４は上述した特定接続部が介在される特定接続ラインである。
【００５２】
このような電子機器Ｃの第１の電子回路１９において、図６Ａに示すように、抵抗Ｒを介して制御部２３に印加された低電位、例えば＋５Ｖ（Ｈレベル）の直流電源を昇降接続部７ｄに加え、固定接続部３ｄをアースに接続すれば、同図Ｂに示すように、昇降接続部７ｄと固定接続部３ｄの接続により、制御部２３への直流電源が＋５Ｖから０Ｖ（Ｌレベル）に変化する。
【００５３】
なお、固定接続部３ｄは、昇降接続部７ｄと固定接続部３ｄとの接触より先に、例えば昇降接続部７ａと固定接続部３ａを介してアースに接続可能である。
【００５４】
制御部２３は、ＣＰＵ（central processing unit）その他を有してなり、その印加直流電源のＨレベルからＬレベルへの変化を検出したとき、固定接続部３ａ〜３ｃおよび昇降接続部７ａ〜７ｃを介して第１の電子回路１９から第２の電子回路２１に電源およびデータ信号を伝送開始制御し、その印加直流電源のＬレベルからＨレベルへの変化を検出したとき、第１の電子回路１９から第２の電子回路２１への電源供給およびデータ信号伝送を遮断制御する機能を有している。
【００５５】
なお、電源およびデータ信号の伝送制御は、第２の電子回路２１から第１の電子回路１９に対する構成や、双方交互に伝送する構成も可能である。
【００５６】
このように本発明のコネクタ装置Ａは、第１の絶縁基板１に複数の固定接続部３ａ〜３ｄが所定の間隔を置いて配列された第１のコネクタ部Ａと、この第１のコネクタ部Ａが固定接続部３ａ〜３ｄを当接させるようにして挿入される第２のコネクタ部Ｂであって、第２の絶縁基板５と、この第２の絶縁基板５に固定接続部３ａ〜３ｄに対応して形成されたスリット１３ａ〜１３ｄから外部に対し出没可能に配列されて個々の固定接続部３ａ〜３ｄに対して当接可能な複数の昇降接続部７ａ〜７ｄと、これら昇降接続部７ａ〜７ｄを支持し当該昇降接続部７ａ〜７ｄが第２の絶縁基板５から突出しないよう付勢されるとともに、その第１のコネクタ部Ａの第２のコネクタ部Ｂへの挿入を受けて昇降接続部７ａ〜７ｄを第２の絶縁基板５から突出させて固定接続部３ａ〜３ｄに接触させる支持板（昇降部）１１とを有する第２のコネクタ部とを具備している。
【００５７】
しかも、複数の前記昇降接続部７ａ〜７ｄのうち１個の昇降接続部７ｄは、その第１のコネクタ部Ａの挿入方向において、他の昇降接続部７ａ〜７ｃより奥に配置された特定接続部となっている。
【００５８】
そのため、第１のコネクタ部Ａに第２のコネクタ部Ｂを挿入すると、固定接続部３ａ〜３ｃと昇降接続部７ａ〜７ｃとが接触した後、固定接続部３ｄが昇降接続部７ｄに接触し、第２のコネクタ部Ｂから第１のコネクタ部Ａを抜くとき、固定接続部３ｄと昇降接続部７ｄとの接触状態が解除された後、固定接続部３ａ〜３ｃと昇降接続部７ａ〜７ｃとの接触状態が解除される。
【００５９】
従って、固定接続部３ｄが昇降接続部７ｄに接触してから、固定接続部３ａ〜３ｃと昇降接続部７ａ〜７ｃの間で電源供給を開始したりデータ信号を伝送開始させることが可能であり、固定接続部３ｄと昇降接続部７ｄとの接触を解除してから、固定接続部３ａ〜３ｃと昇降接続部７ａ〜７ｃに電源供給を遮断したりデータ信号伝送を遮断させることが可能である。
【００６０】
これにより、第１のコネクタ部Ａ側又は第２のコネクタ部Ｂ側において電源が供給されているとき、他方を接続する活線挿抜において安全性を確保可能であり、第１および第２のコネクタ部Ａ、Ｂに接続された電子回路側の不具合発生を抑えることが容易である。
【００６１】
すなわち、第１および第２のコネクタ部Ａ、Ｂを外している状態で、昇降接続部７ａ〜７ｄが露出していないためユーザ等がそれらに触れ難くて安全性が向上するし、昇降接続部７ａ〜７ｄどうしの接触も抑えることが容易である。
【００６２】
さらに、固定接続部３ｄと昇降接続部７ｄの確認用信号ラインを１ライン分増やすだけで、活線挿抜保護が実現できるから実施も容易である。
【００６３】
ところで、上述した本発明のコネクタ装置では、第２のコネクタ部Ｂにおいて、支持板１１の中程にて複数の昇降接続部昇降接続部７ａ〜７ｄを横切る方向の支持点Ｐでそれを支持し、当該支持点Ｐから一方の側に昇降接続部７ａ〜７ｄを支持し、その第２の絶縁基板５に設けた貫通孔１５から突出して第１のコネクタ部Ａの挿入を受ける検出部９を支持点Ｐの他方の側に支持して昇降部を形成したので、簡単な機構的構成により上述した効果を得ることが容易であるが、昇降部はそのような支持板１１に限定されない。
【００６４】
要は、昇降接続部７ａ〜７ｄを支持しこれが第２の絶縁基板５から突出しないよう付勢されるとともに、第１のコネクタ部Ａの第２のコネクタ部Ｂへの挿入を受けて昇降接続部７ａ〜７ｄを第２の絶縁基板５から突出させて固定接続部３ａ〜３ｄに接触させる機構であれば良く、これに配置する検出部９の形状も任意である。
【００６５】
また、本発明のコネクタ装置では、上記特定接続部である昇降接続部７ｄが他の昇降接続部７ａ〜７ｃより短く形成されるから、昇降接続部７ｄを他の昇降接続部７ａ〜７ｃより奥に配置しても全体形状を大型化させることがない。
【００６６】
さらに、本発明のコネクタ装置では、上記特定接続部である昇降接続部７ｄが低電位又はアース電位に接続され、その昇降接続部７ｄに対応する固定接続部３ｄがアース電位又は低電位に接続されていれば、その昇降接続部７ｄへの接触等に対する保護の必要性が少なく、消費電力の増加を抑えることも容易である。
【００６７】
また、本発明に係るコネクタ装置は、第１のコネクタ部Ａと第２のコネクタ部Ｂの何れが他方に相対的に挿入される構成において実施可能である。
【００６８】
そして、本発明のコネクタ装置を搭載した電子機器Ｃにおいても、コネクタ装置と同様の効果を有する。
【符号の説明】
【００６９】
１  第１の絶縁基板
３ａ、３ｂ、３ｃ、３ｄ  固定接続部
５  第２の絶縁基板
７ａ、７ｂ、７ｃ  昇降接続部
７ｄ  昇降接続部（特定接続部）
９  検出部
９ａ  斜面
１１  支持板（昇降部）
１１ａ  屈曲部
１１ｂ、１１ｃ  平坦部
１３ａ、１３ｂ、１３ｃ、１３ｄ  スリット
１５  貫通孔
１７ａ、１７ｂ  ガイド部
１９  第１の電子回路
２１  第２の電子回路
２３  制御部
Ａ  第１のコネクタ部
Ｂ  第２のコネクタ部
Ｃ  電子機器
【図１】
0005461287.tif 000002
【図２】
0005461287.tif 000003
【図３】
0005461287.tif 000004
【図４】
0005461287.tif 000005
【図５】
0005461287.tif 000006
【図６】
0005461287.tif 000007